(57)【要約】【課題】風切り音の発生を防止する。【解決手段】送風用のダクトに接続されてダクトを流れる気体の流量を調節可能に構成され、ダクトが接続される本体部２と、布帛で筒状に形成されると共に本体部２における気体が流れる向きにおける上流側に位置する開口部２１ａに基端部３ａが接続された状態で本体部２の内部に配設されて開口部２１ａから流入する気体をその内部に通過させて先端部３ｂから流出させる筒体３と、筒体３の基端部３ａから先端部３ｂまでの間におけるいずれかの部位の断面積を本体部２の外部からの操作（ノブ４３に対する操作）によって拡縮させて筒体３の内部を通過させる気体の流量を調節する調節機構４とを備えている。【選択図】図１
2013064572.tif 000002
【特許請求の範囲】
【請求項１】
送風用のダクトに接続されて当該ダクトを流れる気体の流量を調節する流量調節装置であって、
前記ダクトが接続される本体部と、布帛およびシート体のいずれかで筒状に形成されると共に前記本体部における前記気体が流れる向きにおける上流側に位置する開口部に基端部が接続された状態で当該本体部の内部に配設されて当該開口部から流入する前記気体をその内部に通過させて先端部から流出させる筒体と、当該筒体の前記基端部から前記先端部までの間におけるいずれかの部位の断面積を前記本体部の外部からの操作によって拡縮させて当該筒体の前記内部を通過させる前記気体の流量を調節する調節機構とを備えている流量調節装置。
【請求項２】
前記調節機構は、前記本体部の外部に配設されて前記操作を行うための操作部を備え、当該操作部に対する操作量に応じた拡縮量だけ前記断面積を拡縮させると共に当該操作部に対する操作量が前記本体部の外部から視認可能に構成されている請求項１記載の流量調節装置。
【発明の詳細な説明】
【技術分野】
【０００１】
本発明は、送風用のダクトに接続されてダクトを流れる気体の流量を調節する流量調節装置に関するものである。
【背景技術】
【０００２】
この種の流量調節装置として、特開平０８−２３３３４９号公報に開示されたダンパーユニット装置が知られている。このダンパーユニット装置は、送風用のダクトの中間に配設されて、ダクト内を流れる気体の流量（風量）の調整や気体の逆流を防止する装置であって、ケース体および風量調整手段などを備えて構成されている。風量調整手段は、回動可能な複数のダンパー羽根を備えた風量調整ダンパーで構成されて、ケース体の内側に配設されている。このダンパーユニット装置では、風量調整ダンパーの各ダンパー羽根を回動させて気体の流れる向きに対する各ダンパー羽根の傾斜角度を調節することにより、気体の流量を調整することが可能となっている。
【先行技術文献】
【特許文献】
【０００３】
【特許文献１】特開平０８−２３３３４９号公報（第４−７頁、第１図）
【発明の概要】
【発明が解決しようとする課題】
【０００４】
ところが、従来のダンパーユニット装置には、解決すべき以下の課題がある。すなわち、従来のダンパーユニット装置では、気体の流れる向き対するダンパー羽根の傾斜角度を調節することによって気体の流量を調整している。つまり、このダンパーユニット装置では、ダンパー羽根が気体の流れの中に位置している。一方、板状の物体が気体の流れの中に存在しているときには、板状の物体と気体との衝突によって風切り音が発生する。このため、このダンパーユニット装置においても、ダンパー羽根と気体との衝突によって風切り音が発生する。この場合、このダンパーユニット装置は、上記したように、送風用のダクトの中間に配設される。このため、このダンパーユニット装置には、風切り音がダクトに共鳴して増幅され、ダクトが配設された各所に騒音となって伝わるという課題が存在し、この点の改善が望まれている。
【０００５】
本発明は、かかる課題に鑑みてなされたものであり、風切り音の発生を防止し得る流量調節装置を提供することを主目的とする。
【課題を解決するための手段】
【０００６】
上記目的を達成すべく請求項１記載の流量調節装置は、送風用のダクトに接続されて当該ダクトを流れる気体の流量を調節する流量調節装置であって、前記ダクトが接続される本体部と、布帛およびシート体のいずれかで筒状に形成されると共に前記本体部における前記気体が流れる向きにおける上流側に位置する開口部に基端部が接続された状態で当該本体部の内部に配設されて当該開口部から流入する前記気体をその内部に通過させて先端部から流出させる筒体と、当該筒体の前記基端部から前記先端部までの間におけるいずれかの部位の断面積を前記本体部の外部からの操作によって拡縮させて当該筒体の前記内部を通過させる前記気体の流量を調節する調節機構とを備えている。
【０００７】
また、請求項２記載の流量調節装置は、請求項１記載の流量調節装置において、前記調節機構は、前記本体部の外部に配設されて前記操作を行うための操作部を備え、当該操作部に対する操作量に応じた拡縮量だけ前記断面積を拡縮させると共に当該操作部に対する操作量が前記本体部の外部から視認可能に構成されている。
【発明の効果】
【０００８】
請求項１記載の流量調節装置によれば、布帛およびシート体のいずれかで筒状に形成されると共に本体部の内部に配設されて開口部から流入する気体を通過させて先端部から流出させる筒体と、筒体の断面積を本体部の外部からの操作によって拡縮させて筒体の内部を通過する気体の流量を調節する調節機構とを備えたことにより、従来の流量調節装置とは異なり、気体の流れの中に位置させる羽根を用いることなく気体の流量を増減させることができる。したがって、この流量調節装置によれば、羽根と気体との衝突による風切り音の発生を確実に防止することができ、この結果、風切り音に起因する騒音の発生を確実に防止することができる。
【０００９】
また、請求項２記載の流量調節装置によれば、本体部の外部に配設された操作部に対する操作量に応じた拡縮量だけ筒体の断面積を拡縮させると共に操作部に対する操作量が本体部の外部から視認可能に調節機構を構成したことにより、この流量調節装置を操作する操作者に対して、操作部に対する操作量を本体部の外部から視認させて、その操作量を確実かつ容易に把握させることができる。このため、この流量調節装置によれば、気体の流量を任意の流量に調節する作業の操作性を十分に向上させることができる。
【図面の簡単な説明】
【００１０】
【図１】流量調節装置１の構成を示す斜視図である。
【図２】筒体３の構成を示す斜視図である。
【図３】筒体３に枠部材３１を取り付けた状態の斜視図である。
【図４】筒体３の形状の変化を説明する説明図である。
【図５】枠部材３１の形状の変化を説明する説明図である。
【図６】流量調節装置１の使用方法を説明する説明図である。
【図７】流量調節装置１０１の構成を示す斜視図である。
【図８】流量調節装置１０１の使用方法を説明する説明図である。
【図９】流量調節装置２０１の構成を示す斜視図である。
【図１０】流量調節装置２０１の使用方法を説明する説明図である。
【発明を実施するための形態】
【００１１】
以下、流量調節装置の実施の形態について、添付図面を参照して説明する。
【００１２】
最初に、図１に示す流量調節装置１の構成について説明する。流量調節装置１は、流量調節装置の一例であって、送風用のダクト（図示せず）に接続されて、図外の送風機が作動することによってダクト内を流れる気体（空気）の流量を調節可能に構成されている。具体的には、流量調節装置１は、同図に示すように、本体部２、筒体３および調節機構４を備えて構成されている。
【００１３】
本体部２は、図１に示すように、一例として、金属板（具体的には、防錆処理された鉄板）で形成された側壁２２ａ，２２ｂ、下壁２２ｄ、上壁２２ｃおよび隔壁２２ｅによって中空直方体状の箱型に形成されている。また、本体部２は、気体が流れる向きにおける上流側に位置する端部（以下、「上流側端部２ａ」ともいう）、および気体が流れる向きにおける下流側に位置する端部（以下、「下流側端部２ｂ」ともいう）にそれぞれダクトを接続可能に構成されている。
【００１４】
また、図１に示すように、隔壁２２ｅには、開口部２１ａが形成されている。また、同図に示すように、本体部２の側壁２２ａ，２２ｂには、調節機構４のロッド４１を挿通させるスリット２３ａ，２３ｂがそれぞれ形成されている。さらに、側壁２２ａには、後述する調節機構４のノブ４３に対する操作量を表示する（視認させる）目盛り４６が付されている。
【００１５】
筒体３は、柔軟性を有する布帛（布帛およびシート体のいずれかの一例）を用いて角筒状（筒状の一例）に形成されている。また、筒体３は、図１に示すように、本体部２の隔壁２２ｅに形成されている開口部２１ａ（気体が流れる向きにおける上流側に位置する開口部）に基端部３ａが接続された状態で本体部２の内部に配設され、開口部２１ａから流入する気体をその内部に通過させて先端部３ｂから流出（吐出）させる。なお、筒体３に用いる布帛としては、難燃性や不燃性（防炎性）の素材で形成されたものが好ましい。
【００１６】
また、筒体３は、図２に示すように、後述する枠部材３１を取り外して拡げた状態において、基端部３ａおよび先端部３ｂがそれぞれ矩形となるように形成されている。また、筒体３の先端部３ｂには、図３に示すように、枠部材３１が取り付けられている。この枠部材３１は、一例として、同図に示すように、６本の棒状部材３１ａ〜３１ｆを互いに回動可能に連結して平面視鼓型に構成されている。また、枠部材３１は、上下に位置する棒状部材３１ａ，３１ｂを互いに離反させた状態では、同図および図５の左図に示すように、上下方向に拡がった形状となり、棒状部材３１ａ，３１ｂを互いに近接させた状態では、図４および図５の右図に示すように、上下方向に縮んだ形状となる。
【００１７】
調節機構４は、図１に示すように、ロッド４１，４２、ノブ４３およびナット４４を備えて構成されている。この場合、この流量調節装置１では、ノブ４３が本体部２の外部に配設された操作部に相当する。ロッド４１は、本体部２の側壁２２ａ，２２ｂにそれぞれ形成されているスリット２３ａ，２３ｂに両端部４１ａ，４１ｂがそれぞれ挿通されることにより、側壁２２ａ，２２ｂによって上下方向にスライド可能に保持されている。また、ロッド４１の一方の端部４１ａには、ノブ４３が取り付けられている。また、ロッド４１の他方の端部４１ｂには、ネジ部（ねじ山）が形成され、このネジ部が側壁２２ｂの外側に配設されたナット４４にねじ込まれている。さらに、ロッド４１には、枠部材３１を構成する棒状部材３１ａが固定されている。
【００１８】
ロッド４２は、図１に示すように、両端部が側壁２２ａ，２２ｂにそれぞれ固定されている。また、ロッド４２には、枠部材３１を構成する棒状部材３１ｂが固定されている。
【００１９】
この調節機構４では、ロッド４１の端部４１ｂをナット４４にねじ込む向きにノブ４３を回動させる（例えば、時計回りに回動させる）ことで、ノブ４３とナット４４との距離が狭まり、これによって本体部２の側壁２２ａ，２２ｂがノブ４３およびナット４４によって押圧されて、ロッド４１のスライド（上下方向の移動）が規制される。
【００２０】
また、この調節機構４では、ロッド４１の端部４１ｂをナット４４から引き抜く向きにノブ４３を回動させる（例えば、反時計回りに回動させる）ことで、ノブ４３とナット４４との距離が拡がり、これによってノブ４３およびナット４４による側壁２２ａ，２２ｂに対する押圧が弛められて（解除されて）、ロッド４１がスライド可能な状態となる。
【００２１】
また、この状態で、ノブ４３を掴んでロッド４１を下向きにスライドさせたとき（操作部に対する操作を行ったとき）には、図４，６に示すように、ロッド４１に固定されている枠部材３１の棒状部材３１ａが棒状部材３１ｂに近接して、枠部材３１が上下方向に縮んだ形状となる（図５の右図参照）。この結果、枠部材３１が取り付けられている筒体３の先端部３ｂの断面積（基端部３ａから先端部３ｂまでの間におけるいずれかの部位の断面積の一例）が縮小する。
【００２２】
一方、ノブ４３を掴んでロッド４１を上向きにスライドさせたときには、図１に示すように、ロッド４１に固定されている枠部材３１の棒状部材３１ａが棒状部材３１ｂから離反して、枠部材３１が上下方向に拡がった形状となる（図５の左図参照）。この結果、枠部材３１が取り付けられている筒体３の先端部３ｂの断面積（開口部の面積）が拡大する。
【００２３】
また、この調節機構４では、ノブ４３に指示針４５が取り付けられており、この指示針４５が本体部２の側壁２２ａに付されている目盛り４６を指し示す。このため、この調節機構４では、ロッド４１のスライド量（操作部としてのノブ４３に対する操作量）を操作者に確実に視認させることが可能となっている。
【００２４】
次に、流量調節装置１の使用方法について、図面を参照して説明する。なお、流量調節装置１の上流側端部２ａおよび下流側端部２ｂには、図外の送風用のダクトがそれぞれ接続され、さらにダクトには、図外の送風機が接続されているものとする。
【００２５】
この流量調節装置１を用いて、ダクト内を流れる気体の流量を減少させるときには、まず、調節機構４のロッド４１に取り付けられているノブ４３を反時計回りに回動させる。この際に、ナット４４にねじ込まれているロッド４１の端部４１ｂがナット４４から引き抜かれる向きに回動して、ノブ４３とナット４４との距離が拡がり、これによってノブ４３およびナット４４による側壁２２ａ，２２ｂに対する押圧が弛められる。
【００２６】
続いて、ノブ４３を掴んでロッド４１を下向きにスライドさせる。この際に、図６に示すように、ロッド４１に固定されている枠部材３１の棒状部材３１ａが棒状部材３１ｂに近接して、枠部材３１が上下方向に縮んだ形状となる結果、枠部材３１が取り付けられている筒体３の先端部３ｂの断面積がロッド４１のスライド量（ノブ４３に対する操作量）に応じた縮小量だけ縮小する。続いて、ノブ４３を時計回りに回動させる。この際に、ロッド４１の端部４１ｂがナット４４にねじ込まれて、ノブ４３とナット４４との距離が狭まり、これによって側壁２２ａ，２２ｂがノブ４３およびナット４４によって押圧される。この結果、ロッド４１のスライドが規制されて、筒体３の先端部３ｂの断面積が縮小した状態に維持され、ダクト内を流れる気体の流量が減少する。
【００２７】
一方、この流量調節装置１を用いて、ダクト内を流れる気体の流量を増加させるときには、上記したようにノブ４３を回動させて、ノブ４３およびナット４４による側壁２２ａ，２２ｂに対する押圧を弛め、続いて、ノブ４３を掴んでロッド４１を上向きにスライドさせる。この際に、図１に示すように、ロッド４１に固定されている枠部材３１の棒状部材３１ａが棒状部材３１ｂから離反して、枠部材３１が上下方向に拡がった形状となる結果、枠部材３１が取り付けられている筒体３の先端部３ｂの断面積がロッド４１のスライド量（ノブ４３に対する操作量）に応じた拡大量だけ拡大する。続いて、上記したようにノブ４３を回動させて、ノブ４３およびナット４４によって側壁２２ａ，２２ｂを押圧させる。これにより、ロッド４１のスライドが規制されて、筒体３の先端部３ｂの断面積が拡大した状態に維持され、ダクト内を流れる気体の流量が増加する。
【００２８】
この流量調節装置１では、上記したように、調節機構４がロッド４１のスライド量（ノブ４３に対する操作量）に応じた拡縮量（拡大量および縮小量）だけ筒体３の断面積を拡縮（拡大および縮小）させ、これによってダクト内を流れる気体の流量を増減させる。つまり、この流量調節装置１では、従来の流量調節装置とは異なり、気体の流れの中に位置させる羽根を用いることなく気体の流量を増減させることが可能となっている。このため、この流量調節装置１では、羽根と気体との衝突による風切り音の発生を確実に防止することが可能となっている。したがって、この流量調節装置１では、風切り音に起因する騒音の発生を確実に防止することが可能となっている。
【００２９】
また、この流量調節装置１では、ノブ４３に取り付けられている指示針４５が目盛り４６を指し示すため、この流量調節装置１を操作する操作者は、ロッド４１のスライド量（ノブ４３に対する操作量）を本体部２の外部から視認して、その操作量を確実かつ容易に把握することが可能となっている。このため、この流量調節装置１では、気体の流量を任意の流量に確実かつ容易に調節することができる。
【００３０】
次に、流量調節装置の他の一例としての流量調節装置１０１について説明する。この流量調節装置１０１は、図７に示すように、本体部１０２、筒体１０３および調節機構１０４を備えて構成されている。
【００３１】
本体部１０２は、図７に示すように、金属板で形成された側壁１２２ａ，１２２ｂ、下壁１２２ｄ、上壁１２２ｃおよび隔壁１２２ｅによって中空直方体状の箱型に形成されて、上流側端部１０２ａおよび下流側端部１０２ｂにそれぞれダクトを接続可能に構成されている。なお、発明の理解を容易とするため、図７および後述する図８では、本体部１０２を透過した状態で図示する。
【００３２】
筒体１０３は、図７に示すように、柔軟性を有する難燃性や不燃性の布帛（布帛およびシート体のいずれかの一例）を用いて円筒状（筒状の一例）に形成されている。また、筒体１０３は、本体部１０２の隔壁１２２ｅに形成されている開口部１２１ａ（気体が流れる向きにおける上流側に位置する開口部）に基端部１０３ａが接続された状態で本体部１０２の内部に配設され、開口部１２１ａから流入する気体をその内部に通過させて先端部１０３ｂから流出（吐出）させる。また、筒体１０３の先端部１０３ｂには、例えば金属で形成されて、剛性を有する環状の枠部材１３１が取り付けられている。
【００３３】
調節機構１０４は、図７に示すように、ローラー１４１ａ〜１４１ｄ、ウォームホィール１４２、ハンドル１４３、ウォーム１４４および表示器１４５を備えて構成されている。この場合、この流量調節装置１０１では、ハンドル１４３（具体的には、ハンドル１４３のグリップ部）が本体部１０２の外部に配設された操作部に相当する。
【００３４】
ローラー１４１ａ〜１４１ｄは、本体部１０２の側壁１２２ａ，１２２ｂ、上壁１２２ｃおよび下壁１２２ｄにそれぞれ配設されて、筒体１０３の先端部１０３ｂに取り付けられている枠部材１３１を回動可能に支持する。また、ローラー１４１ａには、ウォームホィール１４２が取り付けられている。
【００３５】
ハンドル１４３は、本体部１０２における側壁１２２ａの外側にグリップ部（操作の際に握る部分）が位置し、側壁１２２ａの内側に先端部が位置するように側壁１２２ａに配設されている。また、ハンドル１４３の先端部には、ウォーム１４４が取り付けられており、このウォーム１４４とウォームホィール１４２とが噛合している。
【００３６】
この流量調節装置１０１を用いて、ダクト内を流れる気体の流量を減少させるときには、ハンドル１４３を例えば反時計回りに回転させる（ハンドル１４３に対する操作を行う）。この際に、ハンドル１４３の先端部に取り付けられているウォーム１４４が回転し、このウォーム１４４の回転によってウォーム１４４に噛合しているウォームホィール１４２が回転する。また、ウォームホィール１４２の回転に伴ってローラー１４１ａが回転し、このローラー１４１ａの回転によって筒体１０３の先端部１０３ｂに取り付けられている枠部材１３１が図８に示す矢印の向きに回動する。
【００３７】
次いで、枠部材１３１の回動により、図８に示すように、筒体１０３の先端部１０３ｂ側が基端部１０３ａ側に対して捻られる。このため、筒体１０３の中央部分（基端部１０３ａから先端部１０３ｂまでの間におけるいずれかの部位の一例）の断面積がこの捻れに応じた縮小量、つまりハンドル１４３の回転量（ハンドル１４３に対する操作量）に応じた縮小量だけ縮小する。この結果、ダクト内を流れる気体の流量が減少する。
【００３８】
一方、この流量調節装置１０１を用いて、ダクト内を流れる気体の流量を増加させるときには、ハンドル１４３を時計回りに回転させる（ハンドル１４３に対する操作を行う）。この際に、ハンドル１４３の先端部に取り付けられているウォーム１４４の回転によってウォームホィール１４２が上記した回転の際の向きとは逆向きに回転する。また、このウォームホィール１４２の回転に伴うローラー１４１ａの回転によって枠部材１３１が上記した回動の際の向きとは逆向き（図７に示す矢印の向き）に回動する。これにより上記した捻れ（図８参照）がハンドル１４３の回転量分だけ弛められて、筒体１０３の中央部分（基端部１０３ａから先端部１０３ｂまでの間におけるいずれかの部位の一例）の断面積が捻れの緩み分に応じた拡大量、つまりハンドル１４３の回転量（ハンドル１４３に対する操作量）に応じた拡大量だけ拡大する。この結果、ダクト内を流れる気体の流量が増加する。
【００３９】
この流量調節装置１０１では、上記したように、調節機構１０４がハンドル１４３の回転量（ハンドル１４３に対する操作量）に応じた拡縮量だけ筒体１０３の断面積を拡縮させ、これによってダクト内を流れる気体の流量を増減させる。つまり、この流量調節装置１０１においても、気体の流れの中に位置させる羽根を用いることなく気体の流量を増減させることが可能となっている。したがって、この流量調節装置１０１においても、羽根と気体との衝突による風切り音の発生、およびその風切り音に起因する騒音の発生を確実に防止することが可能となっている。
【００４０】
また、この流量調節装置１０１では、ハンドル１４３の回転量（回転数）が表示器１４５によって表示される。このため、この流量調節装置１０１を操作する操作者は、ハンドル１４３の回転量（ハンドル１４３に対する操作量）を本体部１０２の外部から容易に視認することが可能なため、気体の流量を任意の流量に確実かつ容易に調節することができる。この場合、表示器１４５による表示については、ハンドル１４３の回転量に応じて機械式に表示させる構成を採用しても良いし、回転量を検出して電子式（ディジタル式）に表示させる構成を採用しても良い。
【００４１】
次に、流量調節装置のさらに他の一例としての流量調節装置２０１について説明する。この流量調節装置２０１は、図９に示すように、本体部２０２、筒体２０３および調節機構２０４を備えて構成されている。
【００４２】
本体部２０２は、図９に示すように、金属板で形成された側壁２２２ａ，２２２ｂ、下壁２２２ｄ、上壁２２２ｃおよび隔壁２２２ｅによって直方体状の箱型に形成されて、上流側端部２０２ａおよび下流側端部２０２ｂにそれぞれダクトを接続可能に構成されている。なお、発明の理解を容易とするため、図９および後述する図１０では、本体部２０２を透過した状態で図示する。
【００４３】
筒体２０３は、図９に示すように、柔軟性を有する難燃性や不燃性の布帛（布帛およびシート体のいずれかの一例）を用いて円筒状（筒状の一例）に形成されている。また、筒体２０３は、本体部２０２の隔壁２２２ｅに形成されている開口部２２１ａ（気体が流れる向きにおける上流側に位置する開口部）に基端部２０３ａが接続された状態で本体部２０２の内部に配設され、開口部２２１ａから流入する気体をその内部に通過させて先端部２０３ｂから流出（吐出）させる。また、筒体２０３の外周面には、補強用（支持用）の複数の棒状部材２３１が長さ方向に沿って配設されている。
【００４４】
調節機構２０４は、図９に示すように、バンド２４１、複数（一例として３つ）のバネ２４２、拡縮機構２４３、ネジ２４４、ウォームホィール２４５、ハンドル２４６、ウォーム２４７および表示器２４８を備えて構成されている。この場合、この流量調節装置２０１では、ハンドル２４６（具体的には、ハンドル２４６のグリップ部）が本体部２０２の外部に配設された操作部に相当する。
【００４５】
バンド２４１は、例えば金属で形成されて、図９に示すように、筒体２０３の先端部２０３ｂ側を取り囲んで環状体２４１ａを構成するように配設されている。また、バンド２４１は、バネ２４２を介して本体部２０２の側壁２２２ｂ、上壁２２２ｃおよび下壁２２２ｄによって支持されている。拡縮機構２４３は、バンド２４１によって構成される環状体２４１ａの直径をネジ２４４の回転量に応じて拡縮（拡大および縮小）させることが可能に構成されている。また、拡縮機構２４３のネジ２４４には、ウォームホィール２４５が取り付けられている。
【００４６】
ハンドル２４６は、図９に示すように、本体部２０２における側壁２２２ａの外側にグリップ部（操作の際に握る部分）が位置し、側壁２２２ａの内側に先端部が位置するように側壁２２２ａに配設されている。また、ハンドル２４６の先端部には、ウォーム２４７が取り付けられており、このウォーム２４７とウォームホィール２４５とが噛合している。
【００４７】
この流量調節装置２０１を用いて、ダクト内を流れる気体の流量を減少させるときには、ハンドル２４６を例えば時計回りに回転させる（ハンドル２４６に対する操作を行う）。この際に、ハンドル２４６の先端部に取り付けられているウォーム２４７が回転し、このウォーム２４７の回転によってウォーム２４７に噛合しているウォームホィール２４５が回転する。また、ウォームホィール２４５の回転に伴ってネジ２４４が回転し、このネジ２４４の回転量に応じて拡縮機構２４３がバンド２４１を巻き上げる（図１０参照）。これにより、バンド２４１によって構成される環状体２４１ａの直径が縮小（縮径）する。
【００４８】
また、環状体２４１ａの直径の縮小により、図１０に示すように、筒体２０３の先端部側（基端部２０３ａから先端部２０３ｂまでの間におけるいずれかの部位の一例）の断面積が直径の縮小量、つまりハンドル２４６の回転量（ハンドル２４６に対する操作量）に応じた縮小量だけ縮小する。この結果、ダクト内を流れる気体の流量が減少する。
【００４９】
一方、この流量調節装置２０１を用いて、ダクト内を流れる気体の流量を増加させるときには、ハンドル２４６を反時計回りに回転させる（ハンドル２４６に対する操作を行う）。この際に、ハンドル２４６の先端部に取り付けられているウォーム２４７の回転によってウォームホィール２４５が上記した回転の際の向きとは逆向きに回転する。また、このウォームホィール２４５の回転に伴うネジ２４４の回転量に応じて拡縮機構２４３がバンド２４１を弛める（図９参照）。これにより、バンド２４１によって構成される環状体２４１ａの直径が拡大する。また、環状体２４１ａの直径の拡大により、同図に示すように、筒体２０３の先端部側（基端部２０３ａから先端部２０３ｂまでの間におけるいずれかの部位の一例）の断面積が環状体２４１ａの直径の拡大量、つまりハンドル２４６の回転量（ハンドル２４６に対する操作量）に応じた拡大量だけ拡大する。この結果、ダクト内を流れる気体の流量が増加する。
【００５０】
この流量調節装置２０１では、上記したように、調節機構２０４がハンドル２４６の回転量（ハンドル２４６に対する操作量）に応じた拡縮量だけ筒体２０３の断面積を拡縮させ、これによってダクト内を流れる気体の流量を増減させる。つまり、この流量調節装置２０１においても、気体の流れの中に位置させる羽根を用いることなく気体の流量を増減させることが可能となっている。したがって、この流量調節装置２０１においても、羽根と気体との衝突による風切り音の発生、およびその風切り音に起因する騒音の発生を確実に防止することが可能となっている。
【００５１】
また、この流量調節装置２０１では、ハンドル２４６の回転量（回転数）が表示器２４８によって表示される。このため、この流量調節装置２０１を操作する操作者は、ハンドル２４６の回転量（ハンドル２４６に対する操作量）を本体部２０２の外部から容易に視認することが可能なため、気体の流量を任意の流量に確実かつ容易に調節することができる。この場合、表示器２４８による表示については、ハンドル２４３の回転量に応じて機械式に表示させる構成を採用しても良いし、回転量を検出して電子式（ディジタル式）に表示させる構成を採用しても良い。
【００５２】
このように、この流量調節装置１，１０１，２０１は、布帛で筒状に形成されると共に本体部２，１０２，２０２の内部に配設されて開口部２１ａ，１２１ａ，２２１ａから流入する気体を通過させて先端部３ｂ，１０３ｂ，２０３ｂから流出させる筒体３，１０３，２０３と、筒体３，１０３，２０３の断面積を本体部２，１０２，２０２の外部からの操作によって拡縮させて筒体の内部を通過する気体の流量を調節する調節機構４，１０４，２０４とを備えている。このため、この流量調節装置１，１０１，２０１によれば、従来の流量調節装置とは異なり、気体の流れの中に位置させる羽根を用いることなく気体の流量を増減させることができる。したがって、この流量調節装置１，１０１，２０１によれば、羽根と気体との衝突による風切り音の発生を確実に防止することができ、この結果、風切り音に起因する騒音の発生を確実に防止することができる。
【００５３】
また、この流量調節装置１，１０１，２０１によれば、本体部２，１０２，２０２の外部に配設された操作部（ノブ４３やハンドル１４３，２４６のグリップ部）に対する操作量に応じた拡縮量だけ筒体３，１０３，２０３の断面積を拡縮させると共に操作部に対する操作量が本体部２，１０２，２０２の外部から視認可能に調節機構４，１０４，２０４を構成したことにより、この流量調節装置１，１０１，２０１を操作する操作者に対して、操作部に対する操作量を本体部２，１０２，２０２の外部から視認させて、その操作量を確実かつ容易に把握させることができる。このため、この流量調節装置１，１０１，２０１によれば、気体の流量を任意の流量に調節する作業の操作性を十分に向上させることができる。
【００５４】
なお、流量調節装置は、上記の構成に限定されず、適宜変更することができる。例えば、本体部２，１０２，２０２を直方体状に形成した例について上記したが、円筒状に形成した本体部を採用することもできる。また、布帛で形成された筒体３，１０３，２０３を採用した例について上記したが、例えば、柔軟性を有する樹脂製のシート体で形成した筒体を採用することもできる。さらに、角筒状の筒体３や、円筒状の筒体１０３，２０３を備えた構成例について上記したが、各筒体３，１０３，２０３の形状は、これらの形状に限定されず、任意の筒状に形成することができる。
【符号の説明】
【００５５】
１，１０１，２０１  流量調節装置
２，１０２，２０２  本体部
２ａ，１０２ａ，２０２ａ  上流側端部
３，１０３，２０３  筒体
２１ａ，１２１ａ，２２１ａ  開口部
３ａ，１０３ａ，２０３ａ  基端部
３ｂ，１０３ｂ，２０３ｂ  先端部
４，１０４，２０４  調節機構
４３  ノブ
４５  指示針
４６  目盛り
１４３，２４６  ハンドル
１４５，２４８  表示器
【図１】
2013064572.tif 000003
【図２】
2013064572.tif 000004
【図３】
2013064572.tif 000005
【図４】
2013064572.tif 000006
【図５】
2013064572.tif 000007
【図６】
2013064572.tif 000008
【図７】
2013064572.tif 000009
【図８】
2013064572.tif 000010
【図９】
2013064572.tif 000011
【図１０】
2013064572.tif 000012